(57)【特許請求の範囲】
【請求項１】
引掛シーリングに引っ掛ける栓刃と、ロック状態とロック解除状態とに移動自在であって、前記ロック状態において前記引掛シーリングに対して取り外し方向の回動を阻止するロック爪部を備えたロック部材と、前記アダプタベースの径方向にそれぞれ摺動自在に設けた左右の係止部材と、前記左右の係止部材の係止爪を前記アダプタベースの両側部からそれぞれ突出した状態に付勢する付勢バネとを備えたアダプタと、前記アダプタの各係止爪が着脱可能に係合する係止受部を備えた照明器具本体とからなる天井直付け照明器具取付装置において、前記左右の係止部材の後部にそれぞれ嵌合凹部を設け、前記ロック状態では、前記嵌合凹部に嵌合して前記各係止爪を前記アダプタベースの両側部から没入した状態に移動可能とする一方、前記ロック解除状態では、前記左右の係止部材の後部に当接して前記各係止爪を前記アダプタベースの両側部からそれぞれ突出した状態にロックする係止爪ロック部を前記ロック部材に設けたことを特徴とする天井直付け照明器具取付装置。
【発明の詳細な説明】
【０００１】
【発明の属する技術分野】
本発明は、引掛シーリングに引っ掛ける栓刃と、ロック状態とロック解除状態とに移動自在であって、前記ロック状態において前記引掛シーリングに対して取り外し方向の回動を阻止するロック爪部を備えたロック部材と、前記アダプタベースの径方向にそれぞれ摺動自在に設けた左右の係止部材と、前記左右の係止部材の係止爪を前記アダプタベースの両側部からそれぞれ突出した状態に付勢する付勢バネとを備えたアダプタと、前記アダプタの各係止爪が着脱可能に係合する係止受部を備えた照明器具本体とからなる天井直付け照明器具取付装置に関するものである。
【０００２】
【従来の技術】
特開平１１−２１３７４５号には、引掛シーリングに引っ掛ける栓刃をアダプタベースの上面に有し、アダプタベースの径方向にそれぞれ摺動自在に設けた左右の係止部材と、前記左右の係止部材の係止爪を前記アダプタベースの両側部からそれぞれ突出した状態に付勢する付勢バネとを備えたアダプタ（上アダプタ）と、アダプタの各係止爪が着脱可能に係合する係止受部を有するスペーサ（下アダプタ）を有する照明器具本体とからなる天井直付け照明器具取付装置が記載されている。
【０００３】
上記従来の照明器具本体は、アダプタを引掛シーリングに取り付けた後、アダプタの左右の係止爪に対して照明器具本体を取り付ける。アダプタの引掛シーリング２に対する取り付けに関しては、アダプタを手で支持し、アダプタの上面に突設された一対の栓刃を引掛シーリングの栓刃挿入口の幅広部に各々差し込んだ後、ロック爪がロック状態となるまでアダプタを取り付け方向（例えば、時計方向）に向けて回動して止った時点で、引掛シーリングへのアダプタの取り付けが完了すると共に、電気的にも接続状態となる。なお、アダプタのロック爪が突出して栓刃挿入口の幅広部の周縁と衝接し、アダプタの取り外し方向の（例えば、反時計回りの）回動が阻止されてロックされる。
【０００４】
なお、アダプタの引掛シーリングから取り外しは、アダプタの側部に設けられたロック解除釦を内側に向けて押し込むと、ロック爪がアダプタに没入し、ロック爪と栓刃挿入口の幅広部の周縁との衝接が解消される。アダプタのロック解除釦を内方に押し込んだまま、アダプタを引掛シーリングに対して反時計方向に向けて回動させ、アダプタの一対の栓刃を一対の栓刃挿入口の幅広部に移動させた後、アダプタを引掛シーリングから取り外す。
【０００５】
しかしながら、アダプタを引掛シーリングに取り付ける際、アダプタが止るまで回動されずに取り付けられた状態で、照明器具本体がアダプタに対して取り付けられた場合には、アダプタのロック爪がロック状態になっておらず、アダプタと引掛シーリングの嵌合状態が非常に不安定な状態にあるので、アダプタごと照明器具本体が落下してしまう虞がある。
【０００６】
【発明が解決しようとする課題】
本発明の目的は、引掛シーリングに対してアダプタが中途で取り付けられた場合に、アダプタの左右の係止爪に対する照明器具本体の取り付け不可能とすることで、引掛シーリングに対するアダプタの中途嵌合による取り付け不全による照明器具本体の不測の落下を防ぐことができる天井直付け照明器具取付装置を提供することにある。
【０００７】
【課題を解決するための手段】
本発明の天井直付け照明器具取付装置は、引掛シーリングに引っ掛ける栓刃と、ロック状態とロック解除状態とに移動自在であって、前記ロック状態において前記引掛シーリングに対して取り外し方向の回動を阻止するロック爪部を備えたロック部材と、前記アダプタベースの径方向にそれぞれ摺動自在に設けた左右の係止部材と、前記左右の係止部材の係止爪を前記アダプタベースの両側部からそれぞれ突出した状態に付勢する付勢バネとを備えたアダプタと、前記アダプタの各係止爪が着脱可能に係合する係止受部を備えた照明器具本体とからなるものであって、上記課題を解決するために、前記左右の係止部材の後部にそれぞれ嵌合凹部を設け、前記ロック状態では、前記嵌合凹部に嵌合して前記各係止爪を前記アダプタベースの両側部から没入した状態に移動可能とする一方、前記ロック解除状態では、前記左右の係止部材の後部に当接して前記各係止爪を前記アダプタベースの両側部からそれぞれ突出した状態にロックする係止爪ロック部を前記ロック部材に設けたことを特徴とする。
【０００８】
【発明の実施の形態】
以下、本発明の実施の形態を図面を参照して説明する。図１は、本発明の天井直付け照明器具取付装置（以下、照明器具取付装置という）の一実施形態を示す側面図である。照明器具取付装置１は、概略として、引掛シーリング２に引っ掛ける一対の栓刃３，３（一方のみ図示）を上面に有するアダプタ４と、アダプタ４に対して着脱自在に嵌合係止される照明器具本体５とにより構成される。
【０００９】
図２は、引掛シーリング２を下方から示す平面図である。引掛シーリング２は、天井面（図示せず）に対して取り付けられる従来公知のものであって、その下面に中心回りに一対の弧状の栓刃挿入口７，７が設けられ、各栓刃挿入口７は、図２における時計回りの回動方向における始端に栓刃受け穴部８が形成され、栓刃受け穴部８に連続して終端まで栓刃誘導部９が形成されている。また、各栓刃挿入口７，７の栓刃誘導部９，９の奥方の内側裏面には、栓刃受け部（図示せず）が設けられると共に、前記栓刃受け部に屋内配線と接続された導電性の接続端子板（図示せず）が配設されている。
【００１０】
図３は、アダプタ４の平面図である。アダプタ４は、略円筒状をなしたアダプタベース１０を備え、アダプタベース１０の上面には、一対の栓刃３，３が同一円周上に互いに向かい合って配置されている。また、栓刃３，３と同一円周上で、かつ栓刃３，３の一方（図３においては符号３ａを記してある）よりもアダプタ４の取り外し回動方向に（図３においては時計方向に）、引掛シーリング２に対するアダプタ４の取り外し方向の回動（時計回りの回動）を阻止するロック爪部１１がアダプタベース１０の上面に対して出没自在に配設されている。
【００１１】
なお、該ロック爪部１１は、引掛シーリング２に対するアダプタ４の取り外し方向の回動（時計回りの回動）を阻止するロック状態と、引掛シーリング２に対するアダプタ４の取り外し方向の回動を可能とするロック解除状態とに移動自在（アダプタベース１０の上面に対して出没自在）であって、後述するロック部材２２に設けられている。
【００１２】
図４はアダプタ４の側面図である。アダプタ４の側部の周面には、アダプタ４と係合する照明器具本体５の係止受部（図示せず）に対して着脱可能に係合する上下２段の係止爪１２ａ，１３ａ並びに１２ｂ，１３ｂが径方向の左右にそれぞれ出没自在に配設され、アダプタ４の中心から眺めて左右の係止爪１２ａ，１３ｂ及び係止爪１２ｂ，１３ｂと略９０度をなす位置に、ロック爪部１１をアダプタ４の上面から没入させるために押し込み操作されるロック爪解除釦１４が配設されている。なお、左右の係止爪１２ａ，１３ａと係止爪１２ｂ，１３ｂは、後述する左右の係止部材１５ａ，１５ｂの前部にそれぞれ一体に形成されている。なお、アダプタ４の下面には、アダプタベース１１の下面を塞ぐ閉塞部材（図示せず）が装着されている。
【００１３】
図５は、閉塞部材を取り外して示すアダプタ４の底面図であり、図６は、アダプタ４の断面図である。図５に示すように、アダプタベース１０の上壁１６の裏面の左右には、左右の係止部材１５ａ，１５ｂを収納するための凹溝からなる収納部１７が径方向に亘って設けられると共に、アダプタベース１０の周壁１８の左右には、収納部１７にそれぞれ連通して切り欠かれた爪出入口１９，１９がそれぞれ設けられている。
【００１４】
図５に示すように、アダプタベース１０の裏面の収納部１７内には、左係止部材１５ａと右係止部材１５ｂとがその先端の上部係止爪１２及び下部係止爪１３を外側に向けてそれぞれ配置されると共に、左右の係止部材１５ａ，１５ｂの両側が収納部１７の各両側壁２０，２０にそれぞれガイドされ、アダプタ４の径方向左右に摺動可能に設けられている。また、図５に示すように、アダプタベース１０の裏面には、前述したロック爪部１１を備えたロック部材２２が収納部１７の一側方の中央寄りに設けられている。
【００１５】
図７は、左右の係止部材１５ａ，１５ｂ、ロック爪部１１を備えたロック部材２２及びロック爪解除釦１４の斜視図である。左係止部材１５ａは、前部に平面視で円弧凸状の上下２段の上部係止爪１２ａ及び下部係止爪１３ａがそれぞれ形成され、右係止部材１５ｂも同様に、前部に平面視で円弧凸状の上下２段の上部係止爪１２ｂ及び下部係止爪１３ｂがそれぞれ形成されている。なお、左右の係止部材１５ａ，１５ｂの各上部係止爪１２ａ，１２ｂは、平面視において円弧凸状に形成されると共に、下面にテーパ部２３が設けられ、上面に平坦な係止段部２４が設けられている（図６参照）。また、左右の係止部材１５ａ，１５ｂの下部係止爪１３ａ，１３ｂも同様に、平面視において円弧凸状に形成されると共に、下面にテーパ部２５が設けられ、上面に平坦な係止段部２６が設けられている。
【００１６】
また、図７に示すように、左右の係止部材１５ａ，１５ｂの後部上面の両側寄りには、係止部材１５ａ，１５ｂのそれぞれの後端に連通したスプリング挿入溝２７，２８が設けられ、互いに向き合って対向する左係止部材１５ａのスプリング挿入溝２７ａと右係止部材１５ｂのスプリング挿入溝２７ｂには、コイルスプリングからなる付勢バネ２９が挿入され、互いに向き合って対向する左係止部材１６ａのスプリング挿入溝２８ａと右係止部材１５ｂのスプリング挿入溝２８ｂには、コイルスプリングからなる付勢バネ３０が挿入されている。
【００１７】
また、左係止部材１５ａの中央と、右係止部材１５ｂの中央とには、それぞれ矩形の位置決め孔３１，３２が設けられている。一方、アダプタベース１０の収納部１７の左側並びに右側には、収納部１７の幅方向中央に左係止部材１５ａに対する位置決め突部３３並びに右係止部材１５ｂに対する位置決め突部３４がそれぞれ突設されている（図５及び図６参照）。
【００１８】
図５に示すように、収納部１７の位置決め突部３３を左係止部材１５ａの中央に設けられた位置決め孔３１に挿入して左係止部材１５ａを収納部１７の左側に配置すると共に、収納部１７の位置決め突部３４を右係止部材１５ｂの中央に設けられた位置決め孔３２に挿入して右係止部材１５ｂを収納部２０の右側に配置する。
【００１９】
この状態において、左係止部材１５ａと右係止部材１５ｂとの間に設けた付勢バネ２９の各両端はスプリング挿入溝２７ａ，２７ｂの端壁に各々当接すると共に、付勢バネ３０の各両端はスプリング挿入溝２８ａ，２８ｂの端壁に各々当接する。左係止部材１５ａ及び右係止部材１５ｂは、付勢バネ２９及び３０によって径方向両側外側に向けて付勢されているが、収納部１７の左側の位置決め突部３３が左係止部材１５ａの位置決め孔３１の後端に当接する一方、収納部１７の右側の位置決め突部３４が右係止部材１５ｂの位置決め孔３２の後端に当接して摺動における径方向両側外側の位置が規制されると共に、常態において左右の係止部材１５ａ，１５ｂの各係止爪１２，１３がアダプタベース１０の左右の爪出入口１９，１９からそれぞれ突出した状態で設けられる（図５及び図６参照）。
【００２０】
さらに、左係止部材１５ａの後部の一側とこれに対向する右係止部材１５ｂの後部の一側とには、左係止部材１５ａ及び右係止部材１５ｂの高さ方向（厚み方向）の中間位置に、一側方及び後方に開放した嵌合凹部３５ａ，３５ｂがそれぞれ設けられている（図７参照）。
【００２１】
図７に示すように、ロック部材２２の上部にはロック爪部１１が突設され（図７参照）、ロック部材２２の下面にはコイルバネ３６を挿入するためのバネ挿入穴３７が設けられ（図５参照）、ロック部材２２の両側部には、テーパ摺動部３８，３８が突設されている（図７参照）。
【００２２】
さらに、ロック部材２２の下部一側には、当該ロック部材２２のロック爪部１１が、引掛シーリング２に対するアダプタ４の取り外し方向の回動を阻止するロック状態にある場合では、左右の係止部材１５ａ，１５ｂにそれぞれ設けた嵌合凹部３５ａ，３５ｂに嵌合して各係止爪１２ａ，１３ａ及び１２ｂ，１３ｂをアダプタベース１０の両側部から没入した状態に移動可能とする一方、当該ロック部材２２のロック爪部１１が、引掛シーリング２に対するアダプタ４の取り外し方向の回動を可能とするロック解除状態では、左右の係止部材１５ａ，１５ｂの後部（後端）に当接して各係止爪１２ａ，１３ａ及び１２ｂ，１３ｂをアダプタベース１０の両側部からそれぞれ突出した状態にロックする係止爪ロック部３９が、該ロック部材２２の前方において左右方向に張り出すように設けられている。
【００２３】
また、ロック爪解除釦１４は、図７に示すように、アダプタベース１０の側部から突出して配置される押圧釦部４１と、押圧釦部４１の前部に一体に形成され、ロック部材２２の前部及び両側部に密接して配置される両腕部４１，４１とを有し、両腕部４１，４１の下部には、ロック部材２２のテーパ摺動部３８，３８に適合するテーパ係合部４２，４２が形成されている。
【００２４】
ロック部材２２は、ロック爪解除釦１４の両腕部４１，４１の間に挿入され、ロック爪解除釦１４の両腕部４１，４１の下部に形成されたテーパ係合部４２，４２に、ロック部材２２のテーパ摺動部３８，３８が当接され、ロック部材２２の下面に設けたバネ挿入穴３７にコイルバネ３６がその上端から中途までを挿入され、アダプタベース１０の下面に対して装着された閉塞部材（図示せず）により、ロック爪解除釦１４の下面が支持されると共に、コイルバネ３６の下端が当接支持される。
【００２５】
このため、ロック部材２２はコイルバネ３６により上方に向けて付勢され、常時は、ロック爪部１１がアダプタベース１０の上面に突出された状態とされると共に、ロック部材２２のテーパ摺動部３８，３８が、ロック爪解除釦１４のテーパ係合部４２，４２を下方から押圧する向きのテーパ作用により、ロック爪解除釦１４の押圧釦部４０がアダプタベース１０の側部から突出された状態とされている。
【００２６】
また、図１に示すように、照明器具本体５の天板４３の中央部には、アダプタ４を挿入するためのアダプタベース１０の径よりも僅かに大きい円形の通孔４４が開設され、図１に示すように、天板４３の上面には通孔４４の周縁に全周に亘ってカーリング部４５が形成されている。なお、アダプタ４と係合する照明器具本体５の係止受部は、天板４３の下面における円形の通孔４４の周縁部全周により構成されている。
【００２７】
以上のように構成された照明器具取付装置１の作用について説明する。まず、引掛シーリング２に対するアダプタ４の取り付けについて説明する。図８乃至図１０は、引掛シーリング２に対するアダプタ４の取り付け状態を示す図である。なお、図８は引掛シーリング２に対するアダプタ４の取り付け開始位置（取り外し位置）を示し、図９は、引掛シーリング２に対するアダプタ４の取り付け回動方向における中途位置を示し、図１０は、引掛シーリング２に対するアダプタ４の取り付け完了位置を示している。また、図８乃至図１０においては、引掛シーリング２からアダプタ４の上面を示しているため、鎖線を用いて引掛シーリング２を表している。
【００２８】
引掛シーリング２に対するアダプタ４の取り付けは、アダプタ４を手で支持し、アダプタ４の上面に突設された一対の栓刃３，３を引掛シーリング２の一対の弧状の栓刃挿入口７，７の栓刃受け穴部８，８に各々差し込む（図８参照）。
【００２９】
アダプタ４の上面に突設された一対の栓刃３，３を引掛シーリング２の一対の弧状の栓刃挿入口７，７の栓刃受け穴部８，８に各々差し込んだ状態では、アダプタ４の上面と引掛シーリング２の下面とが当接した状態となり、図８において、コイルバネ３６の付勢に抗してアダプタ４の上面に突出されていたロック爪部１１が引掛シーリング２の下面によって押し下げられてアダプタ４の上面から内部に没入する。
【００３０】
次いで、引掛シーリング２に対してアダプタ４を図８の反時計方向に向けて回動する。なお、人が天井面の引掛シーリングに向けて取付け操作を行うので、アダプタ４の下面から眺めることとなり、実際にはアダプタ４を下から見て時計方向に向けて回動することとなる。図８の状態からアダプタ４が引掛シーリング２に対して反時計回りに回転され、一対の栓刃３，３が引掛シーリング２の弧状の栓刃誘導部９，９に沿ってそれぞれ移動し（図９参照）、一対の栓刃３，３が栓刃誘導部９，９の終端まで回動されると、一対の栓刃誘導部９，９の終端の奥方の内側裏面の栓刃受け部に栓刃３，３がそれぞれ支持されて機械的に取り付けられると共に、栓刃３，３が栓刃受け部に設けられた接続端子板に対して電気的にも接続状態となる（図１０参照）。
【００３１】
また、アダプタ４の一対の栓刃３，３が引掛シーリング２の一対の栓刃誘導部９，９の終端まで回転されると、ロック爪部１１が栓刃挿入口７の栓刃受け穴部８の位置に一致し、コイルバネ３６の復帰力により上方に突出して該栓刃受け穴部８内に嵌まり込む（図１０参照）。この状態では、アダプタ４の引掛シーリング２に対する取り外し方向の（反時計回りの）回動は、ロック爪部１１と栓刃受け穴部８の周縁とが当接することによりロックされ、アダプタ４の外れ止めがなされる。以上がアダプタ４が引掛シーリング２に対しての正常に取り付けられた場合である。
【００３２】
また、上述した正常な取付状態では、ロック部材２２に設けられた係止爪ロック部３９が、左右の係止部材１５ａ，１５ｂの後部に設けられた嵌合凹部３５ａ，３５ｂに入り込む位置（係止爪ロック体３９のロック解除位置）を取る（図６及び図１１参照）。
【００３３】
従って、左右の係止部材１５ａ，１５ｂは、付勢バネ２９，３０の付勢に抗して各収納部１７内をアダプタ４の径方向中心側にそれぞれ摺動可能であり、左右の係止部材１５ａ，１５ｂを径方向中心に向けて押し込む力が働くと、付勢バネ２９，３０を両端から押し縮めながら左右の係止部材１５ａ，１５ｂが収納部１７を内側に向けて移動し、左右の係止部材１５ａ，１５ｂの上部係止爪１２及び下部係止爪１３がアダプタベース１０の両側部の爪出入口１９，１９へ没入する（図１２参照）。
【００３４】
これと同時に、左係止部材１５ａの後端と右係止部材１５ｂの後端とが収納部１７の中央において当接すると共に、ロック部材２２に設けられた係止爪ロック部３９が、左右の係止部材１５ａ，１５ｂの後部に設けられた嵌合凹部３５ａ，３５ｂに入り込む。また、収納部１７の左側の位置決め突部３３が左係止部材１５ａの位置決め孔３１の前端に当接する一方、収納部１７の右側の位置決め突部３４が右係止部材１５ｂの位置決め孔３２の前端に当接して摺動における径方向中心側の位置が規制される（図１２参照）。
【００３５】
照明器具本体５のアダプタ４に対する取り付けは、次のように行う。まず、引掛シーリング２に対してアダプタ４を正常な取付状態としておく。照明器具本体５の天板４３に設けた円形の通孔４４にアダプタ４を一致させ、照明器具本体５を押し上げる。
【００３６】
照明器具本体５の円形の通孔４４にアダプタ４を挿入するときに、アダプタ４の左右の下部係止爪１３ａ，１３ｂの下面に形成されたテーパ部２５，２５が照明器具本体５の通孔４４の周縁部に形成されたカーリング部４５に当接してガイドされ、照明器具本体５の押し上げに伴って、テーパ部２５，２５が円形の通孔４４のカーリング部４５でアダプタ４の中央に向けてそれぞれ押圧され、アダプタ４の図５に示す付勢バネ２９，３０の付勢に抗して左右の係止部材１５ａ，１５ｂがアダプタ４の内側に摺動してそれぞれ収納部１７内に後退し、左係止部材１５ａの上部係止爪１２ａ及び下部係止爪１３ａと右係止部材１５ｂの上部係止爪１２ｂ及び下部係止爪１３ｂが爪出入口１９，１９内にそれぞれ没入し、照明器具本体５の通孔４４にアダプタ４が挿入される。
【００３７】
照明器具本体５が、下部係止爪１３ａ，１３ｂの先端を越える位置まで押し上げられると同時に、アダプタ４の左右の係止部材１５ａ，１５ｂが付勢バネ２９，３０の復帰力によりそれぞれ径方向外側に押し出され、左係止部材１５ａの上部係止爪１２ａ及び下部係止爪１３ａと、右係止部材１５ｂの上部係止爪１２ｂ及び下部係止爪１３ｂとがアダプタ４の左右の爪出入口１９，１９からそれぞれ突出され、左右の係止部材１５ａ，１５ｂの下部係止爪１３ａ，１３ｂの平坦な係止段部２６，２６上に照明器具本体５の円形の通孔４４の周縁が支持され、アダプタ４に対して照明器具本体５が支持されて取り付けられる（図１参照）。
【００３８】
しかしながら、図９に示すように、アダプタ４を引掛シーリング２に取り付ける際、アダプタ４の栓刃３，３が引掛シーリング２の栓刃誘導部９，９の終端まで回動されずに中途位置で取り付けられた状態では、すなわち、引掛シーリング２に対してアダプタ４が中途で取り付けられた不完全な取付状態では、アダプタ４の上面と引掛シーリング２の下面とが当接したままの状態であり、コイルバネ３６の付勢に抗してアダプタ４の上面に突出されていたロック爪部１１が引掛シーリング２の下面によって押し下げられてアダプタ４の上面から内部に没入している。なお、図１３は、引掛シーリング２に対してアダプタ４が不完全に取り付けられた状態を示す側面図である。
【００３９】
図１４は、アダプタ４が不完全な取付状態である場合の左右の係止部材１５ａ，１５ｂ、ロック爪部１１を備えたロック部材２２及びロック爪解除釦１４の斜視図である。また、図１５は、アダプタ４が不完全な取付状態である場合のアダプタ４の断面図である。上述した不完全な取付状態では、ロック部材２２が下方に押し下げられることによって、ロック部材２２に設けられた係止爪ロック部３９が、左右の係止部材１５ａ，１５ｂの後部に設けられた嵌合凹部３５ａ，３５ｂよりも下方に移動し、係止爪ロック部３９が左右の係止部材１５ａ，１５ｂの後端面に当接する位置（係止爪ロック体３９のロック位置）を取る（図１４及び図１５参照）。
【００４０】
よって、図１４及び図１５に示すように、係止爪ロック部３９は、ロック位置において、左右の係止部材１５ａ，１５ｂの後端面に同時に当接して左右の係止部材１５ａ，１５ｂの径方向内側への摺動動作を不可能とし、左右の係止部材１５ａ，１５ｂの上部係止爪１２及び下部係止爪１３をアダプタベース１０の両側部からそれぞれ突出した状態にロックする。
【００４１】
よって、アダプタ４が不完全な取付状態では、左右の係止部材１５ａ，１５ｂの上部係止爪１２及び下部係止爪１３がロックされるので、照明器具本体５をアダプタ４に対して取り付けることはできない。これにより、引掛シーリング２に対するアダプタ４の中途嵌合による取り付け不全による照明器具本体５の不測の落下を防ぐことができる。
【００４２】
なお、アダプタ４の引掛シーリング２から取り外しは、アダプタ４のロック解除釦１４をアダプタ４の内方に押し込むと、ロック解除釦１４の両腕部４１，４１が、ロック解除釦１４のテーパ係合部４２，４２とロック部材２２のテーパ摺動部３８とが互いの当接部分を増加させる向きのテーパ作用により、コイルバネの付勢に抗してロック部材が押し下げられ、ロック部材２２のロック爪部１１がアダプタ４の上面から内部に没入し、ロック爪部１１と引掛シーリング２側の栓刃挿入口７の栓刃受け穴部８の周縁との衝接が解消される。アダプタ４のロック解除釦１４を内方に押し込んだまま、アダプタ４を引掛シーリング２に対して取り外し方向（時計方向）に向けて回動させ、アダプタ４の一対の栓刃３，３を引掛シーリング２の一対の栓刃挿入口７，７の栓刃受け穴部８，８に移動させた後、アダプタ４を引掛シーリング２から取り外す。なお、照明器具本体５がアダプタ４に取り付けられている場合には、照明器具本体５をアダプタ４に取り付けたままの状態でアダプタ４と一緒に引掛シーリング２から取り外す。
【００４３】
以上に述べたように、引掛シーリング２に対してアダプタ４の栓刃３，３が回動の中途位置で取り付けられた不完全な取付状態の場合には、引掛シーリング２の下面によって押し下げられたロック部材２２に設けた係止爪ロック部３９が、左右の係止部材１５ａ，１５ｂの後端面に当接する位置を取ることにより、左右の係止部材１５ａ，１５ｂの後端面に同時に当接し、左右の係止部材１５ａ，１５ｂの上部係止爪１２及び下部係止爪１３をアダプタベース１０の両側部からそれぞれ突出した状態にロックするので、照明器具本体５がアダプタ４に対して取り付け不可能となる。これにより、引掛シーリング２に対するアダプタ４の中途嵌合による取り付け不全による照明器具本体５の不測の落下を事前に防ぐことができる。
【００４４】
【発明の効果】
本発明の天井直付け照明器具取付装置によれば、アダプタが引掛シーリングに対して不完全な取付状態である場合には、ロック部材のロック爪部が引掛シーリングに対してアダプタの取り外し方向の回動が可能であるロック解除状態をとると共に、ロック部材に設けた係止爪ロック部が、左右の係止部材の後部に当接して各係止爪をアダプタベースの両側部からそれぞれ突出した状態にロックするので、照明器具本体がアダプタに対して取り付け不可能とすることができる。これにより、引掛シーリングに対するアダプタの中途嵌合による取り付け不全による照明器具本体の不測の落下を事前に防ぐことができる。
【００４５】
また、アダプタが引掛シーリングに対して正常な取付状態であって、ロック部材のロック爪部が引掛シーリングに対してアダプタの取り外し方向の回動を阻止するロック状態では、ロック部材の係止爪ロック部が、左右の係止部材の後部にそれぞれ設けられた嵌合凹部に嵌合して各係止爪をアダプタベースの両側部から没入した状態に移動可能とするので、アダプタに対して照明器具本体を取り付けることができる。
【図面の簡単な説明】
【図１】本発明の実施形態に係る天井直付け照明器具取付装置の側面図（引掛シーリングに対するアダプタの正常な取付状態時）
【図２】引掛シーリング２を下方から示す平面図
【図３】アダプタの平面図
【図４】アダプタの側面図
【図５】閉塞部材を取り外して示すアダプタの底面図
【図６】アダプタの断面図（正常な取付状態時）
【図７】左右の係止部材、ロック爪部を備えたロック部材及びロック爪解除釦の斜視図
【図８】引掛シーリングに対するアダプタの取り付け状態を示す図（引掛シーリングに対するアダプタの取り付け開始位置または取り外し位置）
【図９】引掛シーリングに対するアダプタの取り付け状態を示す図（引掛シーリングに対するアダプタの取り付け回動方向における中途位置、即ち、不完全な取付状態時）
【図１０】引掛シーリングに対するアダプタの取り付け状態を示す図（引掛シーリングに対するアダプタの取り付け完了位置、即ち、正常な取付状態時）
【図１１】左右の係止部材、ロック爪部を備えたロック部材及びロック爪解除釦の斜視図（正常な取付状態時）
【図１２】係止爪がアダプタの内部に後退した状態のアダプタの断面図（正常な取付状態時）
【図１３】天井直付け照明器具取付装置の側面図（引掛シーリングに対するアダプタの不完全な取付状態時）
【図１４】左右の係止部材、ロック爪部を備えたロック部材及びロック爪解除釦の斜視図（不完全な取付状態時）
【図１５】
アダプタの断面図（不完全な取付状態時）
【符号の説明】
１  照明器具取付装置
２  引掛シーリング
３  栓刃
４  アダプタ
５  照明器具本体
６  シーリングベース
７  栓刃挿入口
８  栓刃受け穴部
９  栓刃誘導部
１０  アダプタベース
１１  ロック爪部
１２  上部係止爪
１３  下部係止爪
１４  ロック爪解除釦
１５ａ  左係止部材
１５ｂ  右係止部材
１６  上壁
１７  収納部
１８  周壁
１９  爪出入口
２０  側壁
２２  ロック部材
２３  テーパ部
２４  係止段部
２５  テーパ部
２６  係止段部
２７  スプリング挿入溝
２８  スプリング挿入溝
２９  付勢ぱね
３０  付勢ばね
３１  位置決め孔
３２  位置決め孔
３３  位置決め突部
３４  位置決め突部
３５  嵌合凹部
３６  コイルバネ
３７  バネ挿入穴
３８  テーパ摺動部
３９  係止爪ロック部
４０  押圧釦部
４１  両腕部
４２  テーパ係合部
４３  天板
４４  通孔
４５  カーリング部
【図１】
0004119071.tif 000002
【図２】
0004119071.tif 000003
【図３】
0004119071.tif 000004
【図４】
0004119071.tif 000005
【図５】
0004119071.tif 000006
【図６】
0004119071.tif 000007
【図７】
0004119071.tif 000008
【図８】
0004119071.tif 000009
【図９】
0004119071.tif 000010
【図１０】
0004119071.tif 000011
【図１１】
0004119071.tif 000012
【図１２】
0004119071.tif 000013
【図１３】
0004119071.tif 000014
【図１４】
0004119071.tif 000015
【図１５】
0004119071.tif 000016